(57)【要約】【課題】自由度の高い合成画像に基づきプリント画像を生成可能なプログラム、情報記憶媒体、画像生成装置、写真印刷装置及び写真印刷方法を提供すること。【解決手段】本写真印刷装置は、撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、撮影期間の所与のタイミングにおける現在画像に基づき取り込み画像を生成して記憶部に記憶させる手段と、複数の取り込み画像に基づき、合成画像を生成する合成画像生成手段と、生成された合成画像に基づきプリント画像を生成する手段とを含み、前記撮影画面表示制御手段は、現在確認画像において、合成画像に反映される合成画像反映予定領域とそれ以外の領域とを異なる表示形態で表示するための制御を行うことを特徴とする。【選択図】図２１
2008124877.tif 000002
【特許請求の範囲】
【請求項１】
撮像部と表示部とを含み、撮像部によって撮影された被写体の画像を取り込み、編集してプリントする写真印刷装置であって、
撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、
撮影期間の所与のタイミングにおける現在画像に基づき取り込み画像を生成して記憶部に記憶させる手段と、
複数の取り込み画像に基づき、合成画像を生成する合成画像生成手段と、
生成された合成画像に基づきプリント画像を生成する手段とを含み、
前記撮影画面表示制御手段は、
現在確認画像において、合成画像に反映される合成画像反映予定領域とそれ以外の領域とを異なる表示形態で表示するための制御を行うことを特徴とする写真印刷装置。
【請求項２】
請求項１において、
合成画像生成手段は、
合成画像の一部となる第１から第Ｎの指定領域に対して、第１から第Ｎの取り込み画像を対応付け、対応付けた取り込み画像の対応付けられた指定領域に対応する領域の画像を用いて合成画像を生成することを特徴とする写真印刷装置。
【請求項３】
請求項２において、
前記撮影画面表示制御手段は、
第ｎの取り込み画像の撮影時の現在確認画像において、第ｍ（ｍ＜ｎ）の取り込み画像の合成画像反映部分を表示する制御を行うことを特徴とする写真印刷装置。
【請求項４】
請求項１乃至３のいずれかにおいて、
合成画像の一部となる複数の指定領域について、各指定領域以外の領域をマスクするためのマスク情報を記憶するマスク情報記憶手段をさらに含むことを特徴とする写真印刷装置。
【請求項５】
請求項４において、
前記撮影画面表示制御手段は、
第ｎの取り込み画像撮影時に表示する現在確認画像において、第ｎの取り込み画像に対応するマスク情報に基づいて、合成画像反映予定領域とそれ以外の領域とを異なる表示形態で表示するための制御を行うことを特徴とする写真印刷装置。
【請求項６】
請求項４又は４に従属する請求項５のいずれかにおいて、
前記マスク情報記憶手段は、
前記指定領域の配置パターンが異なる複数の合成画像について、各合成画像に対応付けて各合成画像のマスク情報が記憶されていることを特徴とする写真印刷装置。
【請求項７】
請求項１乃至６のいずれかにおいて、
前記撮影画面表示制御手段は、
合成画像の指定領域の外縁にフレーム画像が付いている場合には、当該合成画像撮影時に表示される現在確認画像の対応する指定領域の外縁に合成画像と同様のフレーム画像を表示する制御を行うことを特徴とする写真印刷装置。
【請求項８】
請求項１乃至７のいずれかにおいて、
前記撮影画面表示制御手段は、
第ｎの取り込み画像撮影時には、第ｎの取り込み画像の合成画像への反映部分を示す見本画像を撮影画面の一部に表示する表示制御を行うことを特徴とする写真印刷装置。
【請求項９】
請求項１乃至８のいずれかにおいて、
第ｎの取り込み画像撮影時には、第ｎの取り込み画像の合成画像への反映部分を告知するためのメッセージ音声を出力するメッセージ音声出力制御手段を含むことを特徴とする写真印刷装置。
【請求項１０】
撮像部と表示部とを含み、撮像部によって撮影された被写体の画像を取り込み、編集してプリントする写真印刷装置を制御するためのプログラムであって、
撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、
撮影期間の所与のタイミングにおける現在画像に基づき取り込み画像を生成して記憶部に記憶させる手段と、
複数の取り込み画像に基づき、合成画像を生成する合成画像生成手段と、
生成された合成画像に基づきプリント画像を生成する手段としてコンピュータを機能させ、
前記撮影画面表示制御手段は、
現在確認画像において、合成画像に反映される合成画像反映予定領域とそれ以外の領域とを異なる表示形態で表示するための制御を行うことを特徴とするプログラム。
【請求項１１】
コンピュータ読み取り可能な情報記憶媒体であって、請求項１０のプログラムが記憶されていることを特徴とする情報記憶媒体。
【請求項１２】
撮像部と表示部とを含み、撮像部によって撮影された被写体の画像を取り込み、編集してプリントする写真印刷装置の写真印刷方法であって、
撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御ステップと、
撮影期間の所与のタイミングにおける現在画像に基づき取り込み画像を生成して記憶部に記憶させるステップと、
複数の取り込み画像に基づき、合成画像を生成する合成画像生成ステップと、
生成された合成画像に基づきプリント画像を生成するステップとを含み、
前記撮影画面表示制御ステップは、
現在確認画像において、合成画像に反映される合成画像反映予定領域とそれ以外の領域とを異なる表示形態で表示するための制御を行うことを特徴とする写真印刷装置の写真印刷方法。
【発明の詳細な説明】
【技術分野】
【０００１】
本発明は、プログラム、情報記憶媒体、写真印刷装置及び写真印刷方法に関する。
【背景技術】
【０００２】
従来より、ＣＣＤカメラ等の撮影部で撮影されたユーザー被写体の画像を編集してプリントする写真シール製造機（写真印刷装置の一例）が知られている。
【０００３】
写真シール製造機では、被写体の画像に編集処理を行い、通常の写真とは異なる自由度の高い写真シールを生成して楽しむことができる。
【特許文献１】特開２００５−２７４９５４号
【特許文献２】特開２００６−１６２７１９号
【発明の開示】
【発明が解決しようとする課題】
【０００４】
上記文献１には、ユーザからポーズのアドバイスをするのに用いられる指示を受け付け、画像表示手段は、その指示に対応するコツのコツメッセージを表示する写真シール販売機が記載されている。
【０００５】
また上記文献２では選択された撮影モードとカメラ位置に対応する「お勧めポーズ」画像を、撮影準備画像記憶部から読み出し、読み出した「お勧めポーズ」画像を、カメラの近傍に設けられ、ライブビュー画像を表示する取り込み画像表示部に表示することで、ユーザが表示された「お勧めポーズ」画像を参考にしてポーズをとり撮影に臨む写真シール販売機が記載されている。
【０００６】
しかし、従来１回の撮影において単にポーズのアドバイスを行ったり「お勧めポーズ」を出すだけであったので、できあがる画像のバリエーションも限られていた。
【０００７】
最近では複数の撮影画像を合成して１枚の合成画像を生成し写真シールにする写真シール販売機もあるが、単に複数の撮影画像を組み合わせるだけでは、ユーザーにあきられてしまう。
【０００８】
そこで、ユーザーの好みに応じて複数の撮影画像を組み合わせよりおもしろい合成写真の提供をできることが好ましい。
【０００９】
本発明は、以上のような課題を解決するためになされたものであり、その目的とするところは、自由度の高い合成画像に基づきプリント画像を生成可能なプログラム、情報記憶媒体、画像生成装置、写真印刷装置及び写真印刷方法を提供することにある。
【課題を解決するための手段】
【００１０】
（１）本発明は、
撮像部と表示部とを含み、撮像部によって撮影された被写体の画像を取り込み、編集してプリントする写真印刷装置であって、
撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、
撮影期間の所与のタイミングにおける現在画像に基づき取り込み画像を生成して記憶部に記憶させる手段と、
複数の取り込み画像に基づき、合成画像を生成する合成画像生成手段と、
生成された合成画像に基づきプリント画像を生成する手段とを含み、
前記撮影画面表示制御手段は、
現在確認画像において、合成画像に反映される合成画像反映予定領域とそれ以外の領域とを異なる表示形態で表示するための制御を行うことを特徴とする。
【００１１】
また本発明は、上記各手段としてコンピュータを機能させるプログラムに関係する。また本発明は、コンピュータ読み取り可能な情報記憶媒体であって、上記各手段としてコンピュータを機能させるプログラムを記憶（記録）した情報記憶媒体に関係する。また本発明は、上記各手段を実行するステップを含む写真印刷方法に関係する。
【００１２】
合成画像とは、１枚の画像の中に複数回の撮影により取り込まれた複数の取り込み画像の少なくとも一部が含まれた画像である。
【００１３】
例えば現在確認画像において、対応する現在画像が取り込み画像となった場合の合成画像反映予定領域は通常表示し、それ以外の領域はマスクをかけるようにしてもよい（例えば非表示にしてもよいし、半透明表示にしてもよい）。合成画像反映予定領域はそれ以外の領域よりも視認性のよい表示形態にすることが好ましい。
【００１４】
合成画像反映予定領域とは合成画像に使用される領域である。
【００１５】
現在確認画像は、例えば現在画像を左右反転させて生成するようにしてもよい。このようにすると現在確認画像が正面にかがみがある場合と同じような画像となるので、（プレーヤの正面にカメラ及び表示部がある場合には、）このようにするほうがプレーヤの位置や方向感覚と合っていて、位置合わせが行いやすい。
【００１６】
なお抜き取り色を背景として撮像部で撮影中の被写体の画像を現在画像として取り込んで、現在画像から背景部分を抜き取った現在抜き取り画像をリアルタイムに生成して、現在抜き取り画像に基づき、現在確認画像や現在取り込み画像を生成するようにしても良い。
【００１７】
抜き取り色の抜き取り処理は、例えばクロマキー処理で実現してもよいし、マスク処理で実現してもよい。クロマキーとは画像の中からある特定色（抜き取り色）をもつ領域を抜き出し、そこに他の画像を埋め込む手法である。
【００１８】
なお他の画像を埋め込む手法としては、特定色をもつ領域のα値（透明度を表す値とする）を１にして、他の画像と半透明合成（例えばαブレンディング処理）を行うことにより実現することが出来る。
【００１９】
マスク処理とは画像の特定の領域（本発明の場合には抜き取り色の領域）の画素値をすべて１にして、他の部分をすべて０したマスク画像を作成し、このマスク画像の０の部分には画像Ａを、マスク画像の１の部分には画像Ｂを埋め込むことにより両画像を合成する手法である。
【００２０】
ここで取り込み画像とは静止画データを意味しており、シャッター（撮影ボタン）が押された時点に対応した画像（シャッターがおされた時点お現在画像）である。一方、現在画像とは、リアルタイムでカメラに向き合う被写体等を逐次画像として取り込み、表示部への表示を繰り返している、いわゆる動画のような画像データを意味している。なお、表示される現在の画像は背景部分含む画像であってもよいし、背景から被写体を切り出した画像でもよい。
【００２１】
本発明によれば、撮影の間、動いている自分のライブビュー画像を見ながら位置合わせを行い、合成画像に用いる取り込み画像（静止画データ）を取得することができる。これが取り込み画像として記憶部に記憶される。例えばＮ回の撮影においては、第１〜第Ｎの取り込み画像が記憶部に記憶される。
【００２２】
なお今回の取り込み画像の合成画像反映予定領域に対応する部分のみが合成画像に反映される構成（例えば合成画像の複数の領域が枠で区切られ、枠内に各回の取り込み画像の合成画像反映予定領域を配置するような場合）でも良いし、各回の取り込み画像の配置領域について特に枠を設けず合成画像を生成するが、他の画像との位置あわせをするために合成画像反映予定領域とその他の領域の表示態様を異ならせる場合でもよい。
【００２３】
なお本発明を構成する各手段はソフトウエアにより実現してもよいし、ハードウエアにより実現してもよいし、ソフトウエアとハードウエアの協働により実現してもよい。
【００２４】
また本発明の写真印刷装置は、取り込んで編集された画像を写真シールとして使用できるようにシールプリントする写真印刷装置も含む。
【００２５】
（２）本発明の写真印刷装置は、
合成画像の一部となる第１から第Ｎの指定領域に対して、第１から第Ｎの取り込み画像を対応付け、対応付けた取り込み画像の対応付けられた指定領域に対応する領域の画像を用いて合成画像を生成することを特徴とする。
【００２６】
（３）本発明の写真印刷装置は、
前記撮影画面表示制御手段は、
第ｎの取り込み画像の撮影時の現在確認画像において、第ｍ（ｍ＜ｎ）の取り込み画像の合成画像反映部分を表示する制御を行うことを特徴とする。
【００２７】
例えば第ｎの取り込み画像の撮影時の現在確認画像において、合成画像の第ｍ（ｍ＜ｎ）の指定領域に対応する第ｍの領域に、第ｍの取り込み画像の合成画像反映予定領域を表示する制御を行うようにしてもよい。
【００２８】
このようにすると、第ｎの取り込み画像の撮影時の現在確認画像において、それ以前の撮影の取り込み画像を、それらが反映される合成画像の指定領域に対応した領域にプレビュー表示することができる。
【００２９】
従ってプレーヤは最終的な合成画像のできあがりを予測しながら、今回の位置合わせやポーズとりを行いやすい。
【００３０】
（４）本発明の写真印刷装置は、
合成画像の一部となる複数の指定領域について、各指定領域以外の領域をマスクするためのマスク情報を記憶するマスク情報記憶手段をさらに含むことを特徴とする。
【００３１】
当該マスク情報を用いて、合成画像を生成するためのマスク処理や合成画像を生成するための取り込み画像を撮影時に表示する現在確認画像のマスク処理を行うことができる。
【００３２】
例えば当該マスク情報に基づき、第１〜第ｎの取り込み画像から合成画像に反映させる部分以外をマスクした第１〜第ｎの抽出画像を生成する処理や第１から第ｎ回めの撮影時の現在確認画像において、合成画像反映予定領域を特定する処理を行うことができる。
【００３３】
（５）本発明の写真印刷装置は、
前記撮影画面表示制御手段は、
第ｎの取り込み画像撮影時に表示する現在確認画像において、第ｎの取り込み画像に対応するマスク情報に基づいて、合成画像反映予定領域とそれ以外の領域とを異なる表示形態で表示するための制御を行うことを特徴とする。
【００３４】
なお第ｎの取り込み画像撮影時に表示する現在確認画像において、第１〜第ｎの取り込み画像に対応するマスク情報に基づいて、第ｍ（ｍ＜ｎ）の指定領域に対応して現在確認画像の一部に設けられた指定対応領域に、第ｍの取り込み画像の対応領域を表示（プレビュー画像）を表示する制御を行うようにしてもよい。
【００３５】
（６）本発明の写真印刷装置は、
前記マスク情報記憶手段は、
前記指定領域の配置パターンが異なる複数の合成画像について、各合成画像に対応付けて各合成画像のマスク情報が記憶されていることを特徴とする。
【００３６】
前記マスク情報記憶手段には、複数の合成画像の各合成画像に対応付けて各合成画像を構成する複数の指定領域のそれぞれをマスクするための合成画像種類別マスク情報が記憶されている。
【００３７】
従って例えばユーザーから所望の合成画像の種類の選択入力を受け付け、選択された画像合成の種類に応じて合成画像種類別マスク情報を選択し、選択した合成画像種類マスク情報を用いて、合成画像を生成するためのマスク処理や合成画像を生成するための取り込み画像を撮影時に表示する現在確認画像のマスク処理を行うようにしてもよい。
【００３８】
（７）本発明の写真印刷装置は、
合成画像の指定領域の外縁にフレーム画像が付いている場合には、当該合成画像撮影時に表示される現在確認画像の対応する指定領域の外縁に合成画像と同様のフレーム画像を表示する制御を行うことを特徴とする。
【００３９】
ここにおいてフレーム画像とは、指定領域の外縁（指定領域内外の境界）を可視的に示すオブジェクトや枠線等である。
【００４０】
（８）本発明の写真印刷装置は、
前記撮影画面表示制御手段は、
第ｎの取り込み画像撮影時には、第ｎの取り込み画像の合成画像への反映部分を示す見本画像を撮影画面の一部に表示する表示制御を行うことを特徴とする。
【００４１】
合成画像の一部となる複数の指定領域（枠）に対して複数の配置パターン（数、形状、位置の少なくとも１つ）が設定されている場合には、選択された配置パターンについての取り込み画像の回数に応じた複数の見本画像が記憶されており、選択された配置パターンの何枚目の取り込み画像であるかに基づき、見本画像を選択するようにしてもよい。
【００４２】
第ｎの取り込み画像の合成画像への反映部分とは、例えば第ｎの取り込み画像に対応した指定領域でもよい。
【００４３】
（９）本発明の写真印刷装置は、
第ｎの取り込み画像撮影時には、第ｎの取り込み画像の合成画像への反映部分を告知するためのメッセージ音声を出力するメッセージ音声出力制御手段を含むことを特徴とする。
【００４４】
例えば合成パターンの指定領域毎に当該指定領域に対応した取り込み画像の撮影時に出力するメッセージ音声を記憶させておいて、枠撮り撮影を行う際に合成パターンと何回目の撮影かに応じて、メッセージを選択して出力するようにしてもよい。
【発明を実施するための最良の形態】
【００４５】
以下、本発明の好適な実施の形態について図面を用いて説明する。
【００４６】
１．写真印刷装置の構成
図１、図２、図３に本実施形態の写真印刷装置（狭義には写真自販装置、写真シール印刷装置）の外観図の一例を示す。なお図１は本実施形態の写真印刷装置の全体（撮影ブロックと編集部ブロックを含む）を説明するための右側面の一例であり、図２は本実施形態の写真印刷装置の撮影ブロックの斜視図であり、図３は本実施形態の写真印刷装置の撮影ブロックの正面図である。
【００４７】
まずユーザー（図１のＰ１）は、筐体の撮影ブロック２の正面側（図３）において被写体（例えば自己）の撮影を行う。次にユーザー（図１のＰ２）は、筐体の例えば背面側に設けられた編集ブロック３において撮影した画像の編集操作を行う。
【００４８】
図２の斜視図や図３の正面図に示すように、本実施形態の写真印刷装置１の撮影ブロック２は、被写体撮影用のカメラ１０（撮像デバイス）を含む。カメラ１０は、例えばＣＣＤカメラ、Ｃ−ＭＯＳカメラ、又はビデオカメラなどにより実現できる。
【００４９】
カメラ１０は、被写体を正面方向から撮影するもので、撮像部として機能する。
【００５０】
写真印刷装置１の撮影ブロック２はディスプレイ２０を含む。このディスプレイ２０は、ユーザーの視点からみおろす高さに、ユーザーに対してその表示画面がほぼ正対するように、筺体５０に取り付けられている。カメラ１０で撮影された映像はディスプレイ２０に表示され、ユーザーはこのディスプレイ２０に表示された映像を見て自身のポーズが適当か否かを確認することができる。
【００５１】
また図１に示すように写真印刷装置の筺体５０には、基台５２、背面板５４が設けられている。基台５２は、撮影時に被写体（ユーザー）がその上に立つための台である。この基台５２には、被写体（ユーザー）が立ち位置を決めるための目印を付けておくことが望ましい。この場合の目印は、例えば足の裏の形をした目印であってもよいし、被写体（ユーザー）がカメラ１０に近づきすぎないようにするための線であってもよい。
【００５２】
背面板５４（背面部材）は撮影時に外部からの光を遮断するためのものである。この背面板５４には、後述するように、付加表示物（背景又は文字等）の合成にクロマキー合成を行う場合には、ブルーバックとしての機能を持たせることもできる。
【００５３】
なお背面板５４として、カーテンなどを用いてもよい。
【００５４】
写真印刷装置１は、図１に示すように写真の受け取り口４０を含む。この受け取り口４０には、撮影して編集された画像が印刷されたシール等が出力される。
【００５５】
図４は、本実施形態の写真印刷装置のブロック図の一例である。なお、写真印刷装置は、図４の構成要素（各部）を全て含む必要はなく、その一部を省略した構成としてもよい。
【００５６】
撮影部１９８は、被写体を撮影するためのもので、例えばＣＣＤカメラ、Ｃ−ＭＯＳカメラ、又はビデオカメラなどにより実現でき、被写体画像取り込み手段として機能する。
【００５７】
操作部１６０（ポインティングデバイス、レバー、ボタン等）は、ユーザが編集用コンテンツ選択メニューの選択操作や編集操作を行うためのものである。
【００５８】
記憶部１７０（ＲＡＭ）は、処理部１００や通信部１９６などのワーク領域となるものである。記憶部１７０（ＲＡＭ）は、合成画像の一部となる複数の指定領域について、各指定領域以外の領域をマスクするためのマスク情報を記憶するマスク情報記憶手段として機能するようにしてもよい。
【００５９】
情報記憶媒体１８０（ＣＤ、ＤＶＤ、ＨＤＤ、ＲＯＭなどのコンピュータにより読み取り可能な媒体）は、プログラムやデータなどを格納するものである。この情報記憶媒体１８０には、本実施形態の各部としてコンピュータを機能させるためのプログラム（各部の処理をコンピュータに実行させるためのプログラム）が記憶される。
【００６０】
ディスプレイ１９０は画像を表示するものであり、例えば図２の撮影用のディスプレイ２０や図示しない編集用ディスプレイ等である。
【００６１】
撮影用のディスプレイ２０は、例えばタッチパネル等が用いられ、ユーザーが指をディスプレイに表示された入力用のボタンに接触させることにより、各種指示入力（例えば前後関係指示入力や枠撮り続行／終了の指示入力やキャンセル入力）を行うことができるように構成されている。
【００６２】
編集用ディスプレイとしては、例えば液晶タブレットやタッチパネル等が用いられ、タッチペン（ポインティングデバイスの一例）等の先端をディスプレイ表面に接触させ、文字や図形を描くことにより手書き画像を入力できるようになっている。また予め用意された星マークやハートマーク等のスタンプ画像を選択して、タッチペンの先端をディスプレイ表面に接触させることによりスタンプ画像を入力出来るようになっている。
【００６３】
音出力部１９２は音声、ゲーム音などの音を出力するものである。
【００６４】
携帯型情報記憶装置１９４は、ユーザの個人データや編集用のセーブデータなどが記憶されるものである。
【００６５】
印刷部１９５は、撮影された画像を印刷媒体（シール紙、印画紙、プラスチック板又は記録層）に画像を印刷する処理を行う。この場合の印刷方式としては昇華型、熱転写型、インクジェット方式、レーザプリント方式などの種々の方式がある。また印刷用のプリンタとしては、インクジェット式プリンタ、レーザープリンタ、昇華型プリンタ、熱転写型プリンタ、溶融型プリンタ、サーマルプリンタ、印画紙プリンタ、インスタントフィルムプリンタ等をもちいるようにしてもよい。
【００６６】
通信部１９６は、インターネットなどのネットワークを介して通信を行うための各種の制御を行うものである。この通信部１９６を用いることで、生成された画像データをネットワークを介して送信することができる。
【００６７】
処理部１００（プロセッサ）は、操作部１６０からの操作データやプログラムなどに基づいて、ゲーム処理、画像生成処理、或いは音生成処理などの各種の処理を行う。この場合、処理部１００は、記憶部１７０内の主記憶部１７２をワーク領域として使用して、各種の処理を行う。この処理部１００の機能は、各種プロセッサ（ＣＰＵ、ＤＳＰ等）又はＡＳＩＣ（ゲートアレイ等）などのハードウェアや、プログラム（ゲームプログラム）により実現できる。
【００６８】
処理部１００は、編集処理部１１０、画像生成部１２０、音生成部１３０、枠撮り処理部１４０を含む。
【００６９】
編集処理部１１０は、操作部１６０からの編集用の入力情報等に基づき、取り込まれた画像に対して編集処理を行う。
【００７０】
画像生成部１２０は、撮影や編集の結果に基づいて画像を生成し、ディスプレイ１９０に出力する。
【００７１】
音生成部１３０は、処理部１００で行われる種々の処理の結果に基づいて音処理を行い、ＢＧＭ、効果音、又は音声などのゲーム音を生成し、音出力部１９２に出力する。
【００７２】
枠撮り処理部１４０と画像生成部１２０と協働することにより、撮像部で撮影中の被写体の画像を現在画像として取り込んで、現在画像に基づき撮影中の現在画像を確認するための現在確認画像を生成し、現在確認画像を含む撮影画面を表示部に表示させるための表示制御を行う撮影画面表示制御手段と、撮影期間の所与のタイミングにおける現在画像に基づき取り込み画像を生成して記憶部に記憶させる手段と、複数の取り込み画像に基づき、合成画像を生成する合成画像生成手段と、生成された合成画像に基づきプリント画像を生成する手段として機能する。
【００７３】
枠撮り処理部１４０はと画像生成部１２０と協働することにより、現在確認画像において、合成画像に反映される合成画像反映予定領域とそれ以外の領域とを異なる表示形態で表示するための制御を行うようにしてもよい。
【００７４】
また枠撮り処理部１４０は、合成画像の一部となる第１から第Ｎの指定領域に対して、第１から第Ｎの取り込み画像を対応付け、対応付けた取り込み画像の対応付けられた指定領域に対応する領域の画像を用いて合成画像を生成するための制御を行うようにしてもよい。
【００７５】
また枠撮り処理部１４０と画像生成部１２０と協働することにより、第ｎの取り込み画像の撮影時の現在確認画像において、第ｍ（ｍ＜ｎ）の取り込み画像の合成画像反映部分を表示する制御を行うようにしてもよい。
【００７６】
また枠撮り処理部１４０と画像生成部１２０と協働することにより、第ｎの取り込み画像撮影時に表示する現在確認画像において、第ｎの取り込み画像に対応するマスク情報に基づいて、合成画像反映予定領域とそれ以外の領域とを異なる表示形態で表示するための制御を行うようにしてもよい。
【００７７】
また枠撮り処理部１４０と画像生成部１２０と協働することにより、合成画像の指定領域の外縁にフレーム画像が付いている場合には、当該合成画像撮影時に表示される現在確認画像の対応する指定領域の外縁に合成画像と同様のフレーム画像を表示する制御を行うようにしてもよい。
【００７８】
また枠撮り処理部１４０と画像生成部１２０と協働することにより、第ｎの取り込み画像撮影時には、第ｎの取り込み画像の合成画像への反映部分を示す見本画像を撮影画面の一部に表示する表示制御を行うようにしてもよい。
【００７９】
また枠撮り処理部１４０と音生成部１３０と協働することにより、第ｎの取り込み画像撮影時には、第ｎの取り込み画像の合成画像への反映部分を告知するためのメッセージ音声を出力するメッセージ音声出力制御手段として機能するようにしてもよい。
【００８０】
通信部１９６は、インターネットなどのネットワークを介してデータを送信又は受信する処理を行う。より具体的には、通信部１９６は、カメラの撮影画像により生成されたデータを、ネットワークを介して外部のサーバなどに送信する。このようにすればユーザ（被写体）は、自身が被写体となっている画像のデータを、自分の家のパーソナルコンピュータにサーバからダウンロードすることが可能になる。そしてダウンロードした画像データに基づいて、自分の家のプリンタを用いて、紙やシールに画像を印刷して出力することが可能になる。またユーザーが撮影した画像をサーバに保存しておき、写真印刷装置にダウンロードして印刷して出力することも可能である。
【００８１】
この通信部１９６の機能は、例えば通信用のデバイス（ＩＣ）などのハードウェアや、通信用のプログラムなどにより実現できる。なお印刷部１９５、通信部１９６のいずれか一方を設けない構成としてもよい。
【００８２】
なお本実施形態の写真印刷装置は、被写体を全身撮影するものには限定されず、被写体の上半身だけを撮影するものであってもよい。
【００８３】
また本実施形態の写真印刷装置で撮影される被写体は人間には限定されない。
【００８４】
例えばオークションなどに出品する商品の写真を撮影する装置にも本実施形態は適用できる。この場合には、通信部１９６を用いて行うインターネットを介したデータの送信と、オークションの出品とを連動させれば、出品者に便宜な写真印刷装置を提供できる。
【００８５】
また本実施形態の写真印刷装置を、プレーヤの写真画像をゲームに使用するようなタイプのゲーム装置に利用することも可能である。即ち本実施形態の写真印刷装置を、ゲーム装置の画像取り込み装置として機能させることも可能である。
【００８６】
２．枠撮り処理
本実施の形態では通常の撮影モードとは別に枠撮り撮影モードが用意されている。
【００８７】
図５（Ａ）〜（Ｃ）は本実施の形態において枠撮り撮影モードを選択した場合の合成画像（シンプル枠の場合）について説明するための図である。合成画像とは複数の撮影画像を組み合わせて１つの画像にした画像である。合成画像に対して編集を行うこともできる。
【００８８】
枠撮り撮影モードが選択されると最大で５枚の画像を枠撮りできるようになっている。
【００８９】
図５（Ａ）は、２枚の取り込み画像の合成画像である。第１の指定領域２１０と第２の指定領域２１２とがシンプル枠２１４によって区切られている。２回の枠撮り撮影の、例えば１回目の撮影で第１の指定領域２１０に収める画像を撮影し、２回目の撮影で第２の指定領域２１２に収める画像を撮影するようにしてもよい。
【００９０】
図５（Ｂ）は、３枚の取り込み画像の合成画像である。第１の指定領域２２０と第２の指定領域２２２と第３の指定領域２２４とがシンプル枠２２６によって区切られている。３回の枠撮り撮影の、例えば１回目の撮影で第１の指定領域２２０に収める画像を撮影し、２回目の撮影で第２の指定領域２２２に収める画像を撮影し、３回目の撮影で第３の指定領域２２６に収める画像を撮影するようにしてもよい。
【００９１】
図５（Ｃ）は、５枚の取り込み画像の合成画像である。第１の指定領域２３０と第２の指定領域２３１と第３の指定領域２３２と第４の指定領域２３３と第５の指定領域２３４とがシンプル枠２３５によって区切られている。５回の枠撮り撮影の、例えば１回目の撮影で第１の指定領域２３０に収める画像を撮影し、２回目の撮影で第２の指定領域２３１に収める画像を撮影し、３回目の撮影で第３の指定領域２３２に収める画像を撮影し、４回目の撮影で第４の指定領域２３３に収める画像を撮影し、５回目の撮影で第５の指定領域２３４に収める画像を撮影するようにしてもよい。
【００９２】
シンプル枠の場合各シンプル枠２１４、２２６、２３５は、各指定領域を区切るための境界となり、特に枠オブジェクトや枠線等が表示されるわけではない。
【００９３】
図６（Ａ）〜（Ｃ）は本実施の形態において枠撮り撮影モードを選択した場合の合成画像（飾り枠の場合）について説明するための図である。
【００９４】
図６（Ａ）は、３枚の取り込み画像の合成画像である。第１の指定領域２４０と第２の指定領域２４２と第３の指定領域２４４がかざり枠２４６によって区切られている。３回の枠撮り撮影の、例えば１回目の撮影で第１の指定領域２４０に収める画像を撮影し、２回目の撮影で第２の指定領域２４２に収める画像を撮影し、３回目の撮影で第３の指定領域２４４に収める画像を撮影するようにしてもよい。
【００９５】
図６（Ｂ）は、２枚の取り込み画像の合成画像である。第１の指定領域２５０と第２の指定領域２５２とがかざり枠２５４によって区切られている。２回の枠撮り撮影の、例えば１回目の撮影で第１の指定領域２５０に収める画像を撮影し、２回目の撮影で第２の指定領域２５２に収める画像を撮影するようにしてもよい。
【００９６】
図６（Ｃ）は、２枚の取り込み画像の合成画像である。第１の指定領域２６０と第２の指定領域２６２とがかざり枠２６４によって区切られている。２回の枠撮り撮影の、例えば１回目の撮影で第１の指定領域２６０に収める画像を撮影し、２回目の撮影で第２の指定領域２６２に収める画像を撮影するようにしてもよい。
【００９７】
飾り枠の場合各飾り枠２４６、２５４、２６４は、各指定領域を区切るための境界となり、さらに枠であることを可視的に示すオブジェクトや枠線等が表示される。
【００９８】
プレーヤはまず複数の枠撮り画像のパターンから所望の枠パターン（背景パターン）を選択する。例えば図５（Ａ）〜（Ｃ）や図６（Ａ）〜（Ｃ）のようなできあがり見本から所望の枠パターンを選択する。そして選択した枠パターンのような合成画像を生成するための枠撮り撮影が行われる。
【００９９】
図７〜図９は２枚の取り込み画像を合成して完成する枠撮り撮影を行う際の撮影画面を示す図である。
【０１００】
図７は、本枠撮り撮影における１回目の撮影時（第１の取り込み画像撮影時）の撮影画面の様子を説明するための図である。
【０１０１】
３００は、ディスプレイ（図２、３の２０）に表示される撮影画面である。
【０１０２】
３５０は完成形サンプルポーズ画像であり、今回の枠撮り撮影の完成見本である。完成見本は、今回の枠撮り撮影の第１の取り込み画像の一部を第１の指定領域３４２に配置し、第２の取り込み画像の一部を第２の指定領域３４６に配置した合成画像が生成されることを示す。
【０１０３】
３４０−１は、第１の取り込み画像撮影時に対応して用意された進行段階サンプルポーズ画像であり、３４２に示すように指定領域３４４の外縁（シンプル枠や飾り枠）を強調表示することにより今回の撮影の取り込み画像が配置される指定領域が３４４であることを示している。プレーヤは進行段階サンプルポーズ画像３４０−１により、今回の撮影が合成画像のどの指定領域に反映されるのかを確認することができる。
【０１０４】
完成形サンプルポーズ画像と進行段階サンプルポーズ画像については図１１で詳しく説明する。
【０１０５】
３６０はカウントダウン（シャッターが下りるまで秒数）である。カウントダウンは所定のタイミングにより自動的に開始されてもよいし、例えば図示しない撮影タイミングを指示するためのボタン（本ディスプレイはタッチパネルで構成されているため、プレーヤが画面上の当該ボタン）にふれることにより、撮影タイミングを指示することができるようにしてもよい。そしてプレーヤが画面上の当該ボタンにふれてからカウントダウンが開始され所定時間経過後に、撮影（シャッター）タイミングが到来し、その時点の画像が取り込まれて、１回めの撮影画像となるようにしてもよい。
【０１０６】
３７０は枠撮りトータル枚数であり、枠撮りする枚数（選択した枠パターン）に応じて表示される。３７２−１は枠撮り現在枚数であり枠撮りした回数に応じて書き換えて表示される。
【０１０７】
３１０−１は、撮像部で撮影中の被写体の画像（現在画像）を確認するための現在確認画像である。現在確認画像として、撮影中の被写体の画像（現在画像）をそのまま出力するようにしてもよいし、撮像部で撮影中の現在画像を左右反転させてた画像を出力するようにしてもよい。後者のようにすると現在確認画像がプレーヤの正面に鏡があると仮定した場合の鏡にうつる像と同じ画像となるので、プレーヤの位置合わせが行いやすくなる。
【０１０８】
現在確認画像３１０−１には撮像部が現在撮影している画像またはそれを左右反転させた画像がリアルタイムの動画像（ライブビュー画像）として表示されている。
【０１０９】
１回目の画像を撮影する際のライブビュー画像は、現在カメラ（図３の１０）が撮影している被写体画像と所与の背景色とをリアルタイムクロマキー処理で合成した画像である。
【０１１０】
リアルタイムクロマキー処理では、現在カメラ（図３の１０）が撮影している画像から背景部分が抜き取られた（例えば背景部分の画素のα値として透明がセットされる）画像が生成され、背景部分に所与の背景色が合成される。
【０１１１】
今回の撮影では、第１の領域３２０−１（合成画像の第１の指定領域に対応する領域）に表示されている画像が合成画像に反映され、第１の領域３２０−１以外の領域３３０−１は反映されない。
【０１１２】
図７では第１の領域３２０−１以外の領域３３０−１には現在画像に対して半透明のマスクをかけて表示されている。このように本実施の形態では、合成画像反映予定領域（ここでは第1の領域３２０−１）以外の領域（ここでは第２の領域３３０−１）にマスクをかけることで、合成画像反映予定領域（ここでは第１の領域３２０−１）とそれ以外の領域（ここでは第２の領域３３０−１）とを異なる表示形態で表示する。
【０１１３】
なお図７では合成画像反映予定領域以外の領域（ここでは第1の領域３２０−１）に半透明のマスクをかけて表示しているため、プレーヤは合成画像反映予定領域以外の領域３３０−１の画像も視認可能となっているが、合成画像反映予定領域以外の領域３３０−１に対して不透明のマスクをかけることにより、合成画像反映予定領域外の領域３３０−１についてはプレーヤが視認できないような表示形態にしてもよい。
【０１１４】
合成画像反映予定領域（ここでは第1の領域３２０−１）は、ライブビュー画像となっているので、プレーヤは合成画像反映予定領域（ここでは第1の領域３２０−１）に所望の状態の画像が収まるように位置合わせを行う。そしてカウントダウンが０となった状態の画像が取り込み画像となる。
【０１１５】
合成画像と合成画像反映予定領域との関係については図１０で詳しく説明する。
【０１１６】
図８は１回目の撮影後（第１の取り込み画像撮影後）２回目の撮影開始前の撮影画面の様子を説明するための図である。
【０１１７】
３７４は現在枠撮り枚数であり、現時点で今回の合成画像に対して取り込まれた取り込み画像数を示す。
【０１１８】
第１の領域３２０−２は、１枚目の取り込み画像のプレビュー画像となっている。すなわち１回目の撮影期間のカウントダウン０時の現在画像が取り込まれて、当該取り込み画像の合成画像反映領域に対応する部分が表示されている。
【０１１９】
撮影直後に第２の領域３２０−２プレビュー画面を表示する際には第２の領域３３０−２は、マスクをはずして表示してもよいし、不透明のマスク表示としてもよい。
【０１２０】
図９は本枠撮り撮影における２回目の撮影時（第２の取り込み画像撮影時）の撮影画面の様子を説明するための図である。
【０１２１】
３５０は完成形サンプルポーズ画像であり、図７の１回目撮影時と同様の画像が表示されている。
【０１２２】
３４０−３は、第２の取り込み画像撮影時に対応して用意された進行段階サンプルポーズ画像であり、３４８に示すように指定領域３４６の外縁を強調表示することにより今回の撮影の取り込み画像が配置される指定領域が３４６であることを示している。
【０１２３】
３６０はカウントダウン（シャッターが下りるまで秒数）、３７０は枠撮りトータル枚数である。３７２−２は枠撮り現在枚数であり、今回は２回目の枠撮り撮影なので、図７の画面からインクリメント（更新）されている。
【０１２４】
２回目の撮影では、現在確認画像３１０−３の第１の領域３２０−３には１回目の撮影で取り込んだ取り込み画像の対応部分がプレビュー表示されている。
【０１２５】
このように本実施の形態では、第ｎ回めの撮影時の現在確認画像３１０−３において、合成画像の第ｍ（ｍ＜ｎ）の指定領域に対応する第ｍの領域３２０−３に、第ｍの取り込み画像の合成画像反映予定領域を表示（プレビュー画像）する制御を行うようにしてもよい。
【０１２６】
また現在確認画像３１０−３の第２の領域３３０−３は、今回の合成画像反映予定領域となる部分であり、撮像部が現在撮影している画像またはそれを左右反転させた画像がリアルタイムの動画像（ライブビュー画像）として表示されている。
【０１２７】
このようにすることで、過去の画像に合わせて今回の位置合わせやポーズをとることができるので、複数の取り込み画像からなる合成画像のできあがりを順次確認しながら各回の撮影を行うことができる。従ってできあがり後にプレーヤの予想を裏切るようようなことがない満足度の高い合成画像を生成することができる。
【０１２８】
図１０は、３枚の枠撮りによる取り込み画像にもとづき生成される合成画像と撮影時の現在確認画像の合成画像反映予定領域との関係について説明するための図である。
【０１２９】
本実施の形態では、合成画像の一部となる第１から第Ｎの指定領域（枠）４０２、４０４、４０６のそれぞれに対して、第１から第Ｎの取り込み画像４４０、４５０、４６０のそれぞれの合成画像反映予定領域４４２、４５４、４６６の画像を対応付けて合成画像４００を生成する（第１から第Ｎの指定領域がそれぞれ対応する第１から第Ｎの取り込み画像の合成画像反映予定領域の画像となるように画像合成を行う）。
【０１３０】
例えばできあがりの合成画像は第１の指定領域４０２、第２の指定領域４０４、第３の指定領域４０６からなる場合、第１の指定領域４０２には１回目の撮影で取り込まれた第１の取り込み画像が配置され、第２の指定領域４０４には２回目の撮影で取り込まれた第２の取り込み画像が配置され、第３の指定領域４０６には３回目の撮影で取り込まれた第３の取り込み画像が配置される。
【０１３１】
４４０は、第１の取り込み画像撮影時に撮影画面に表示される現在確認画像である。現在確認画像は、例えば撮像部で撮影中の現在画像を左右反転させた画像である。このようにすると現在確認画像がプレーヤの正面に鏡があると仮定した場合の鏡にうつる像と同じ画像となるので、プレーヤは位置合わせが行いやすい。
【０１３２】
第１の取り込み画像撮影時には、合成画像の第１の指定領域４０２に対応する領域４４２が合成画像反映予定領域となる。従って合成画像の第１の指定領域４０２には、１回目の撮影時のシャッター押下タイミング（１回目の撮影時のカウントダウン０のタイミング）において領域４４２に表示されている画像を左右反転させた画像（現在画像（撮影画像のこと）の領域４４２に対応する部分）が配置されることになる。
【０１３３】
４５０は、第２の取り込み画像撮影時に撮影画面に表示される現在確認画像である。
【０１３４】
第２の取り込み画像撮影時には、合成画像の第２の指定領域４０４に対応する領域４５４が合成画像反映予定領域となる。従って合成画像の第２の指定領域４０４には、２回目の撮影時のシャッター押下タイミング（２回目の撮影時のカウントダウン０のタイミング）において領域４５４に表示されている画像を左右反転させた画像（現在画像（撮影画像のこと）の領域４５４に対応する部分）が配置されることになる。
【０１３５】
４６０は、第３の取り込み画像撮影時に撮影画面に表示される現在確認画像である。
【０１３６】
第３の取り込み画像撮影時には、合成画像の第３の指定領域４０６に対応する領域４６６が合成画像反映予定領域となる。従って合成画像の第３の指定領域４０６には、３回目の撮影時のシャッター押下タイミング（カウントダウン０のタイミング）において領域４６６に表示されている画像を左右反転させた画像（現在画像（撮影画像のこと）の領域４６６に対応する部分）が配置されることになる。
【０１３７】
図１１は、３枚の枠撮りによる取り込み画像にもとづき合成画像を生成する場合の完成形サンプルポーズ画像と進行段階サンプルポーズ画像の一例である。
【０１３８】
本実施の形態では、第ｎの取り込み画像撮影時には、第ｎの取り込み画像の合成画像への反映部分（第ｎの取り込み画像に対応した指定領域）を示す見本画像（ここでは進行段階サンプルポーズ画像）を撮影画面の一部に表示する表示制御を行う。
【０１３９】
完成形サンプルポーズ画像は第１の指定領域４７２、第２の指定領域４７４、第３の指定領域４７６からなり、第１の指定領域４７２には第１の取り込み画像（サンプル画像）が配置され、第２の指定領域４７４には第２の取り込み画像（サンプル画像）が配置され、第３の指定領域４７６には第３の取り込み画像（サンプル画像）が配置される場合を例にとり説明する。
【０１４０】
４１０は、第１の取り込み画像撮影時に撮影画面に表示される進行段階サンプルポーズ画像である。今回の撮影が反映される第１の指定領域４１２には完成形サンプルポーズ画像４７０の第１の指定領域４７２と同様のモデル画像が左右反転された状態で表示されるとともにその外縁が強調表示枠４１３となっている。これにより今回の撮影が合成画像におけるどの指定領域に反映させるのかを知ることができる。
【０１４１】
なお進行段階サンプルポーズ画像４１０の第１の指定領域４１２以外の部分４１４、４１６は場所があるが内部画像はないことを知らせる表示（例えば所定の色で不透明マスク表示）にしても良い。
【０１４２】
４２０は、第２の取り込み画像撮影時に撮影画面に表示される進行段階サンプルポーズ画像である。今回の撮影が反映される第２の指定領域４２４には完成形サンプルポーズ画像４７０の第２の指定領域４７４と同様のモデル画像が左右反転された状態で表示されるとともにその外縁が強調表示枠４２５となっている。これにより今回の撮影が合成画像におけるどの指定領域に反映させるのかを知ることができる。
【０１４３】
なお進行段階サンプルポーズ画像４２０の第１の指定領域４２２は既に撮影済みであることを示す表示（例えば第１の取り込み画像撮影時に撮影画面に表示される進行段階サンプルポーズ画像の第1の領域４１２と同じ画像で半透明のマスク表示）にしても良い。また第３の指定領域４２６は場所があるが内部画像はないことを知らせる表示（例えば所定の色で不透明マスク表示）にしても良い。
【０１４４】
４３０は、第３の取り込み画像撮影時に撮影画面に表示される進行段階サンプルポーズ画像である。今回の撮影が反映される第３の指定領域４３６には完成形サンプルポーズ画像４７０の第３の指定領域４７６と同様のモデル画像が左右反転された状態で表示されるとともにその外縁が強調表示枠４３７となっている。これにより今回の撮影が合成画像におけるどの指定領域に反映させるのかを知ることができる。
【０１４５】
なお進行段階サンプルポーズ画像４３０の第１の指定領域４３２と第２の指定領域４３４は既に撮影済みであることを示す表示（例えば第１及び第２の取り込み画像撮影時に撮影画面に表示される進行段階サンプルポーズ画像の第１及び第２の領域４１２、４２４と同じ画像で半透明のマスク表示）にしても良い。
【０１４６】
また本実施の形態では、合成画像上の指定領域と現在確認画像の合成画像反映予定領域が対応しているので、撮影時の現在確認画像における合成画像反映予定領域の画像が対応する指定領域に反映される様子を想像しながら位置合わせを行うことができる。
【０１４７】
完成形サンプルポーズ画像と進行段階サンプルポーズ画像は、図７〜図９に示すように撮影画面の一部に表示されるようにしても良い。進行段階サンプルポーズ画像は、撮影回に対応した進行段階のサンプルポーズ画像（見本画像の一例）が表示される。
【０１４８】
図１２〜図１５は、現在確認画像のマスク処理について説明するための図である。
【０１４９】
図１２（Ａ）〜（Ｃ）は、現在確認画像のマスク処理前後の画像例を示す図である。図１２（Ａ）はマスク前の現在確認画像であり、これは図１３に示す現在画像（撮像部が撮像した画像）を左右反転させた画像である。
【０１５０】
図１２（Ｂ）は、現在確認画像の合成画像反映予定領域５１２以外の領域５１６を半透明でマスクした様子を示している。なおここでは説明のため合成画像反映予定領域５１２の外縁（枠）５１４として左側に凹部がある場合を例にとり説明する。
【０１５１】
図１２（Ｂ）では合成画像反映予定領域（ここでは第1の領域３２０−１）以外の領域５１６に半透明のマスクをかけて表示しているため、プレーヤは合成画像反映予定領域以外の領域５１６の画像も視認可能となっている。
【０１５２】
しかし図１２（Ｃ）に示すように、合成画像反映予定領域以外の領域５１６に対して不透明のマスクをかけることにより、合成画像反映予定領域外の領域５１６についてはプレーヤが視認できないような表示形態にしてもよい。
【０１５３】
図１３は１回目の撮影時の現在確認画像のマスク処理について説明するための図である。
【０１５４】
５３０は１回目のライブビュー画像（マスク前の現在確認画像）であり、５４０は１回めのライブビュー画像に対して用意されている第１のマスク画像である。第１のマスク画像５４０は第１のマスク情報に基づき生成するようにしても良いし、第１のマスク画像を第１のマスク情報として持たせるようにしてもよい。
【０１５５】
マスク情報は現在確認画像と同サイズの画像（縦横の画素数が同じ）であるマスク画像として記憶しておいてもよい。この場合各画素のＲＧＢ情報としてはマスク色が格納され、各画素のα値としてマスクの有無を示す情報が格納されるようにしても良い。
【０１５６】
なおマスク情報には各画素の色情報（ＲＧＢ情報）は不要なので、マスク情報としてライブビュー画像の各画素に対応したマスクの有無を示す情報のみを持たせるようにしてもよい。
【０１５７】
マスクの有無を示す情報としては、第１の指定領域の画素に対応するエリア５４２にはマスク無しを示す’０’（第１の値）をセットし、第１の指定領域以外の画素に対応するエリア５４６にはマスク有りを示す’１’（第２の値）をセットするようにしてもよい。
【０１５８】
そして１回目のライブビュー画像５３０と第１のマスク画像５４０を半透明合成することにより５５０に示すような第１の指定領域５５２以外の領域５５６が半透明になった現在確認画像を生成することができる。具体的には、各画素のマスクの有無を示す情報がマスク無しを示す’０’（第１の値）の画素についてはライブビュー画像のＲＧＢ値を出力し、各画素のマスクの有無を示す情報がマスクありを示す’１’（第１の値）の画素については、ライブビュー画像のＲＧＢ値と対応するマスク画像のＲＢＧ値を所定のブレンド係数で半透明合成した値を出力する。なおマスク画像のＲＢＧ値はすべての画素で同一の値でよいので、マスク画像の各画素値として持たせる必要はなく固定値またはパラメータとして与えるようにしてもよい。
【０１５９】
図１４は２回目の撮影時の現在確認画像のマスク処理について説明するための図である。
【０１６０】
５６０は２回目のライブビュー画像であり、５７０は２回めのライブビュー画像に対して用意されている第２のマスク画像である。２回めのライブビュー画像に対して用意されている第２のマスク画像では、第２の指定領域に対応するエリア５７６にはマスク無しを示す’０’（第１の値）をセットし、第２の指定領域以外の画素に対応するエリア５７２にはマスク有りを示す’１’（第２の値）をセットするようにしてもよい。
【０１６１】
そして２回目のライブビュー画像５６０と第２のマスク画像５７０を半透明合成することにより５８０に示すような第２の指定領域５８６以外の領域５８２が半透明になった画像を生成することができる。
【０１６２】
図１５は、１回目のプレビュー画像と２回目のライブビュー画像の合成画像（図９の３１０−３に示すような２回目の撮影時の現在確認画像）を生成する処理を示す図である。
【０１６３】
５９０は、１回目の撮影時の取り込み画像における現在確認画像の合成画像反映予定領域であり、６００は２回目の撮影時の現在確認画像の合成画像反映予定領域である。１回目のと理込み画像の合成画像反映予定領域５９０内の画像を現在確認画像の合成画像の第１の指定領域に対応するエリアに出力し、現在撮影撮影中のライブビュー画像６００内の画像を現在確認画像の合成画像の第２の指定領域に対応するエリアに出力することで、１回目のプレビュー画像と２回目のライブビュー画像の合成画像を生成することができる。
【０１６４】
図１６〜図１８は、取り込み画像のマスク処理について説明するための図である。
【０１６５】
図１６は、１回目の取り込み画像に対するマスク処理について説明するための図である。
【０１６６】
６３０は図１３のライブビュー画像５３０に対応する取り込み画像（取り込み画像となった現在画像）である。図１３のライブビュー画像５３０は現在画像（当該取り込み画像５３０）を左右反転させたものであるため、現在画像と図１３のライブビュー画像５３０は線対称の画像となっている（従って現在画像に対して線対称の座標変換を行う行列を用いてマトリクス演算を行うことにより、現在画像を左右反転させた現在確認画像を生成することができる）。
【０１６７】
６４０は１回目の取り込み画像に対して用意されている第１’のマスク画像である。第１’のマスク画像６４０は、図１３に示す第１のマスク画像を左右反転させた形式となっているので、第１のマスク情報に基づき生成するようにしてもよい。
【０１６８】
そして１回目の取り込み画像６３０と第１’のマスク画像６４０を合成することにより６５０に示すような第１の指定領域以外の領域が切り取られた画像（合成画像に反映させる部分を抽出した画像である第１の抽出画像）を生成することができる。
【０１６９】
図１７は、２回目の取り込み画像に対するマスク処理について説明するための図である。
【０１７０】
６６０は２回目の取り込み画像であり、６７０は２回めの取り込み画像に対して用意されている第２’のマスク画像である。第２’のマスク画像６７０は、図１４に示す第２のマスク画像を左右反転させた形式となっているので、第２のマスク情報に基づき生成するようにしてもよい。
【０１７１】
そして２回目の取り込み画像６６０と第２’のマスク画像６７０を合成することにより６８０に示すような第２の指定領域以外の領域が切り取られた画像（合成画像に反映させる部分を抽出した画像である第２の抽出画像）を生成することができる。
【０１７２】
図１８は、第１の抽出画像と第２の抽出画像の合成画像を生成する処理を示す図である。
【０１７３】
６９０は、第１の抽出画像であり、７００は第２の抽出画像である。６９０を合成画像の第１の指定領域に配置し、７００を合成画像の第２の指定領域に配置することで、第１の抽出画像と第２の抽出画像の合成画像を生成することができる。
【０１７４】
図１９（Ａ）（Ｂ）は本実施の形態のマスク情報について説明するための図である。
【０１７５】
本実施の形態では合成画像の一部となる複数の指定領域（枠）が所定の配置パターン（数、形状、位置の少なくとも１つ）をとる場合に、当該配置パターンで合成画像を生成する際に各現在画像または各取り込み画像について合成画像反映予定領域以外の領域をマスクするためのマスク情報を記憶する。
【０１７６】
例えば本実施の形態では図５や図６に示すような複数のパターンの合成画像を生成するために、合成画像の一部となる複数の指定領域（枠）の配置パターン（数、形状、位置の少なくとも１つ）が異なる複数の配置パターンのそれぞれに対応したマスク情報が各合成画像に対応したマスク情報を記憶している。
【０１７７】
図１９（Ａ）は図５（Ｂ）の合成画像に対応して用意されたマスク情報を模式的に示した図である。８２０は図５（Ｂ）の第１の指定領域２２０に対応する第１の抽出画像を抽出するためのマスク情報である。８２２が第１の指定領域２２０に対応して設けられたマスク無し領域であり、８２４が第１の指定領域２２０に対応して設けられたマスク有り領域である。
【０１７８】
８３０は図５（Ｂ）の第２の指定領域２２２に対応する第２の抽出画像を抽出するためのマスク情報である。８３２が第２の指定領域２２２に対応して設けられたマスク無し領域であり、８３４が第２の指定領域２２２に対応して設けられたマスク有り領域である。
【０１７９】
８４０は図５（Ｂ）の第３の指定領域２２４に対応する第３の抽出画像を抽出するためのマスク情報である。８４２が第３の指定領域２２４に対応して設けられたマスク無し領域であり、８４４が第３の指定領域２２４に対応して設けられたマスク有り無し領域である。
【０１８０】
図１９（Ｂ）は図６（Ａ）の合成画像に対応して用意されたマスク情報を模式的に示した図である。８５０は図６（Ａ）の第１の指定領域２４０に対応する第１の抽出画像を抽出するためのマスク情報である。８５２が第１の指定領域２４０に対応して設けられたマスク無し領域であり、８５４が第１の指定領域２４０に対応して設けられたマスク有り領域である。
【０１８１】
８６０は図６（Ａ）の第２の指定領域２４２に対応する第２の抽出画像を抽出するためのマスク情報である。８６２が第２の指定領域２４２に対応して設けられたマスク無し領域であり、８６４が第２の指定領域２４２に対応して設けられたマスク有り領域である。
【０１８２】
８４０は図６（Ａ）の第３の指定領域２４４に対応する第３の抽出画像を抽出するためのマスク情報である。８４２が第３の指定領域２４４に対応して設けられたマスク無し領域であり、８４４が第３の指定領域２４４に対応して設けられたマスク有り無し領域である。
【０１８３】
図２０は、飾り枠の合成画像（図６（Ａ）〜（Ｃ）のような場合）を選択した場合の撮影画面について説明するための図である。
【０１８４】
本実施の形態では、現在確認画像３１０−１において、合成画像反映予定領域３２０−１の外縁に、対応する合成画像の指定領域と同様のフレーム装飾画像３２２を施す制御を行う。
【０１８５】
すなわちできあがりの合成画像に飾り枠が付いている場合には撮影時に表示する現在確認画像にもできあがりの合成画像の飾り枠と同じの飾り枠（フレーム装飾画像３２２）を付けて表示する制御を行う。具体的には飾り枠用のフレーム装飾画像３２２の飾り枠テクスチャ（例えば飾り枠以外の部分が透明になっているテクスチャ等）を用意しておき、現在確認画像に対して当該飾り枠テクスチャをマッピングするようにしてもよい。
【０１８６】
図２５は、枠撮り処理使用情報格納テーブルの一例である。
【０１８７】
枠撮り処理使用情報格納テーブル１１００は枠撮り処理を行う際に使用する情報（情報それ自体でもよいし、情報の格納先にリンクするための情報でもよい）が格納されたテーブルである。
【０１８８】
枠撮り処理使用情報格納テーブル１１００には、枠撮りパターン番号１１１０に対応付けて、画像取り込み枚数１１２０、マスク情報１１３０、完成見本画像情報１１４０、進行段階見本画像情報１１５０、音声メッセージ情報１１６０等が記憶されている。
【０１８９】
枠撮りパターン番号１１１０は、例えば図５（Ａ）〜（Ｃ）や図６（Ａ）〜（Ｃ）に示す合成画像の種類を示すＩＤである。
【０１９０】
画像取り込み枚数１１２０は、当該枠撮りパターン番号１１１０の枠撮り処理を行う場合の取り込み画像の枚数を示すのもである。例えば枠撮りパターン番号がP001が図５（Ｂ）の合成画像の枠撮りパターンをしめすものである場合、３枚の取り込み画像に基づき合成画像を生成するので、画像取り込み枚数は’３’となる。画像取り込み枚数は取り直しを許可しない仕様の場合には撮影回数に一致するが、取り直しを許可する仕様の場合には、取り込みが確定した取り込み画像の数である。
【０１９１】
マスク情報１１３０は、当該枠撮りパターン番号１１１０の枠撮り処理を行う場合に、取り込み画像や現在画像や現在確認画像のマスク処理を行う際に使用するマスク情報を表すものである。指定領域に対応して用意されていおり、例えば枠撮りパターン番号がＰ００１が図５（Ｂ）の合成画像の枠撮りパターンをしめすものである場合、図１９（Ａ）に示すような３枚のマスク画像情報にリンクするためのマスク画像特定情報ＭＳＫ００１−１（図１９（Ａ）の８２０）、ＭＳＫ００１−２（図１９（Ａ）の８３０）、ＭＳＫ００１−３（図１９（Ａ）の８４０）等が記憶されている。
【０１９２】
完成見本画像情報１１４０は、当該枠撮りパターン番号１１１０の枠撮り処理を行う場合に、撮影画面に完成形サンプルポーズ画像として表示するための完成見本画像の種類を特定するための情報である。
【０１９３】
進行段階見本画像情報１１５０は、当該枠撮りパターン番号１１１０の枠撮り処理を行う場合に、撮影画面に進行段階サンプルポーズ画像として表示するための進行段階見本画像の種類を特定するための情報である。図１１で説明したように指定領域に対応して用意されている。
【０１９４】
音声メッセージ情報１１６０は、当該枠撮りパターン番号１１１０の枠撮り処理を行う場合に、撮影時に出力する音声メッセージの種類を特定するための情報である。図２５で説明したように進行段階（第ｎの取り込み画像を撮影する際のｎの値）に対応して用意されている。
【０１９５】
図２１は、本実施の形態の枠撮り処理の撮影画面を表示するための処理例を示すフローチャートフローチャートである。
【０１９６】
まず枠撮りモードが選択されたか否か判断し選択された場合には以下の処理を行う（ステップＳ１０）。
【０１９７】
次に枠撮りパターン選択入力を受け付ける（ステップＳ２０）。図５（Ａ）〜（Ｃ）や図６（Ａ）〜（Ｃ）に示すような合成画像の見本を表示して、プレーヤからの選択入力を受け付けるようにしてもよい。
【０１９８】
次に枠撮り処理使用情報テーブルから選択された枠撮りパターンの枠撮り撮影を行う際に使用する各種情報（取り込み枚数情報Ｎ、マスク情報、完成見本画像情報、進行段階見本画像情報、音声メッセージ情報）を抽出する（ステップＳ３０）。
【０１９９】
次に取り込み画像の確定枚数をカウントする変数ｉに初期値ｉ＝０を設定する（ステップＳ４０）。取り込み画像の確定枚数は、取り直しを許可しない仕様の場合には各撮影において取り込みタイミングがくるとそこで確定するため撮影タイミングが来る度に取り込み画像の確定枚数をカウントアップするようにしてもよい。また取り直しを許可する仕様の場合には、各取り込み画像について取り直しを行わないまたは取り直し済みでこれ以上取り直しを行わないことが確定した時点で取り込み画像の確定枚数をカウントアップするようにしてもよい。
【０２００】
次に現在撮影中の現在画像を取り込んで現在画像を左右反転させたライブビュー画像を生成する（ステップＳ５０）。
【０２０１】
次に抽出したマスク情報の第ｎの取り込み画像に対応したマスク情報を用いてマスクされたライブビュー画像を生成する（ステップＳ６０）。ここでｎ＝ｉ＋１となる。
【０２０２】
次にｉ＝０でない場合（第１の取り込み画像の撮影時ではない場合）には、第１から第ｎ−１までの取り込み画像に基づき生成された第１から第ｎ−１のプレビュー画像とマスクされたライブビュー画像を合成して第ｎ回目の現在確認画像を生成する（ステップＳ７０、Ｓ８０）。
【０２０３】
次に撮影タイミングかきたら、第ｎの取り込み画像に基づき第ｎのプレビュー画像を生成して保存し、ｉをインクリメントする（ステップＳ９０、Ｓ１００、Ｓ１１０）。
【０２０４】
取り込み画像の確定枚数ｉが取り込み枚数情報Ｎに達するまでステップＳ５０〜Ｓ１２０の処理を繰り返す（ステップＳ１２０）。ここで取り込み枚数情報Ｎはプレーヤが選択した枠撮りパターンに応じて枠撮り処理使用情報テーブルから読み出した値である。
【０２０５】
３．囲み編集処理
次に合成画像に施す編集処理である囲み処理について説明する。
【０２０６】
図２２は編集画面の一例である。編集画面９００には編集用画像（枠撮り処理で合成した合成画像でもよい）９１０と編集用ボタン９２０が表示される。編集画面はタッチパネルになっているので、プレーヤはタッチペンで編集ボタンを指示することにより、取り込み画像に対して編集を施すことができる。
【０２０７】
編集用ボタン９２０はペンボタン９２２と中塗り／外塗りボタン９２４を含む。中塗り／外塗りボタン９２４はデフォルトで「中塗り」になっているが、当該ボタンを押すことで中塗りと外塗りを切り替えることができる。
【０２０８】
図２３（Ａ）〜（Ｃ）は囲み処理について説明するための図である。
【０２０９】
プレーヤ編集用画像９４０−１に対してタッチペンで線をえがき始点と終点を結んで図２３（Ａ）にしめすような閉じた図形９４２を描いた後、中塗り状態（表示が「中塗り」となり押したときの機能も中塗りとなる）となっている中塗り／外塗りボタン９２４を押すと、９４０−２に示すように閉じた図形９４２の内部９４４が塗りつぶされて表示される。そして中塗り／外塗りボタン９２４は外塗り状態（表示が「外塗り」となり押したときの機能も外塗りとなる）に切り替わる。
【０２１０】
この状態で外塗り状態の中塗り／外塗りボタン９２４を押すと、９４０−３に示すように閉じた図形９４０の外部９４４が塗りつぶされた状態に表示が切り替わる。
【０２１１】
プレーヤ編集用画像９５０−１に対してタッチペンで線をえがき始点９５７と終点９５８を結んで図２３（Ｂ）にしめすような外周の１辺と始点９５７と終点９５８とを結ぶ線で閉じた図形９５２を描いた後、中塗り状態（表示が「中塗り」となり押したときの機能も中塗りとなる）となっている中塗り／外塗りボタン９２４を押すと、９５０−２に示すように閉じた図形９５２の内部９５４が塗りつぶされて表示される。そして中塗り／外塗りボタン９２４は外塗り状態（表示が「外塗り」となり押したときの機能も外塗りとなる）に切り替わる。
【０２１２】
この状態で外塗り状態の中塗り／外塗りボタン９２４を押すと、９５０−３に示すように閉じた図形９５０の外部９５４が塗りつぶされた状態に表示が切り替わる。
【０２１３】
プレーヤ編集用画像９６０−１に対してタッチペンで線をえがき始点９６７と終点９６８を結んで図２３（Ｂ）にしめすような外周の２辺と始点９６７と終点９６８とを結ぶ線で閉じた図形９６２を描いた後、中塗り状態（表示が「中塗り」となり押したときの機能も中塗りとなる）となっている中塗り／外塗りボタン９２４を押すと、９６０−２に示すように閉じた図形９６２の内部９６４が塗りつぶされて表示される。そして中塗り／外塗りボタン９２４は外塗り状態（表示が「外塗り」となり押したときの機能も外塗りとなる）に切り替わる。
【０２１４】
この状態で外塗り状態の中塗り／外塗りボタン９２４を押すと、９６０−３に示すように閉じた図形９６０の外部９６４が塗りつぶされた状態に表示が切り替わる。
【０２１５】
図２４は、囲み処理の他の例について説明するための図である。
【０２１６】
９８０は９７０の状態の編集画像に対して９８２の図形を書いておいて中塗り状態にした図である。ここでさらに外塗り状態の中塗り／外塗りボタン９２４を押すと、９９０に示すように９８２の外はすべて塗りつぶされた状態となるように制御してもよい。このようにすると常に一番最新の情報で上書きされるように制御することができる。
【０２１７】
なお、本発明は、上記実施の形態で説明したものに限らず、種々の変形実施が可能である。
【０２１８】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【０２１９】
第ｎの取り込み画像撮影時には、第ｎの取り込み画像の合成画像への反映部分を告知するためのメッセージ音声を出力するようにしてもよい。
【０２２０】
例えば合成パターンの指定領域毎に当該指定領域に対応した取り込み画像の撮影時に出力するメッセージ音声を記憶させておいて、枠撮り撮影を行う際に合成パターンと何回目の撮影かに応じて、メッセージを選択して出力するようにしてもよい。
【０２２１】
図２６は、生成される合成画像と合成画像を構成する取り込み画像の撮影時に出力されるメッセージ例を説明するための図である。
【０２２２】
図２６は、図５（Ｂ）の合成画像の各進行段階に応じて用意されている音声メッセージを示している。合成画像１０１０は、３枚の取り込み画像の合成画像（完成見本画像）であり、例えば１回目の撮影で第１の指定領域２２０に収める画像を撮影し（進行段階１の２２０’）、２回目の撮影で第２の指定領域２２２に収める画像を撮影し（進行段階２の２２２’）、３回目の撮影で第３の指定領域２２６に収める画像を撮影するようにしてもよい（進行段階３の２２４’）。１０１２、１０１４，１０１６は各進行段階で表示される撮影画面の現在確認画像に対応しているため（各進行段階で表示される進行段階見本画像に対応）、各指定領域の位置関係は合成画像における指定領域の位置関係が左右反転した状態となっている。従って第１の指定領域２２０は撮影画面の２２０’となり、進行段階１では「右の枠を撮影するわよ」という音声メッセージ１０１３が用意されている。また第２の指定領域２２２は撮影画面の２２２’となり、進行段階２では「真ん中の枠を撮影するわよ」という音声メッセージ１０１５が用意されている。また第３の指定領域２２４は撮影画面の２２４’となり、進行段階３では「左の枠を撮影するわよ」という音声メッセージ１０１７が用意されている。
【０２２３】
図２７は合成画像の各進行段階に応じて用意されている音声メッセージを示している。合成画像１０２０は、５枚の取り込み画像の合成画像であり、例えば１回目の撮影で第１の指定領域２３０に収める画像を撮影し（進行段階１の２３０’）、２回目の撮影で第２の指定領域２３１に収める画像を撮影し（進行段階２の２３１’）、３回目の撮影で第３の指定領域２３２に収める画像を撮影し（進行段階３の２３２’）、４回目の撮影で第４の指定領域２３３に収める画像を撮影し（進行段階４２の２３３’）、５回目の撮影で第５の指定領域２３４に収める画像を撮影するようにしてもよい（進行段階５の２３４’）。１０２２、１０２４，１０２６、１０２８、１０３０は各進行段階で表示される撮影画面の現在確認画像に対応しているため、各指定領域の位置関係は合成画像における指定領域の位置関係が左右反転した状態となっている。従って第１の指定領域２３０は撮影画面の２３０’となり、進行段階１では「右上の枠を撮影するわよ」という音声メッセージ１０１３が用意されている。また第２の指定領域２３１は撮影画面の２３１’となり、進行段階２では「左上の枠を撮影するわよ」という音声メッセージ１０２５が用意されている。また第３の指定領域２３２は撮影画面の２３２’となり、進行段階３では「右下の枠を撮影するわよ」という音声メッセージ１０２７が用意されている。また第４の指定領域２３３は撮影画面の２３３’となり、進行段階４では「左下の枠を撮影するわよ」という音声メッセージ１０２９が用意されている。また第５３の指定領域２３４は撮影画面の２３４’となり、進行段階５では「ハートの中を撮影するわよ」という音声メッセージ１０２７が用意されている。
【図面の簡単な説明】
【０２２４】
【図１】本実施形態の写真印刷装置の全体を説明するための右側面図。
【図２】本実施形態の写真印刷装置の撮影ブロックの斜視図。
【図３】本実施形態の写真印刷装置の撮影ブロックの正面図。
【図４】本実施形態の写真印刷装置のブロック図の一例である。
【図５】図５（Ａ）〜（Ｃ）は本実施の形態において枠撮り撮影モードを選択した場合の合成画像（シンプル枠の場合）について説明するための図。
【図６】図６（Ａ）〜（Ｃ）は本実施の形態において枠撮り撮影モードを選択した場合の合成画像（飾り枠の場合）について説明するための図。
【図７】本枠撮り撮影における１回目の撮影時（第１の取り込み画像撮影時）の撮影画面の様子を説明するための図。
【図８】１回目の撮影後（第１の取り込み画像撮影後）２回目の撮影開始前の撮影画面の様子を説明するための図。
【図９】本枠撮り撮影における２回目の撮影時（第２の取り込み画像撮影時）の撮影画面の様子を説明するための図。
【図１０】合成画像と撮影時の現在確認画像の合成画像反映予定領域との関係について説明するための図。
【図１１】完成形サンプルポーズ画像と進行段階サンプルポーズ画像の一例。
【図１２】図１２（Ａ）〜（Ｃ）は、現在確認画像のマスク処理前後の画像例を示す図。
【図１３】１回目の撮影時の現在確認画像のマスク処理について説明するための図。
【図１４】２回目の撮影時の現在確認画像のマスク処理について説明するための図。
【図１５】１回目のプレビュー画像と２回目のライブビュー画像の合成画像を生成する処理を示す図。
【図１６】１回目の取り込み画像に対するマスク処理について説明するための図。
【図１７】２回目の取り込み画像に対するマスク処理について説明するための図。
【図１８】第１の抽出画像と第２の抽出画像の合成画像を生成する処理を示す図。
【図１９】図１９（Ａ）（Ｂ）は本実施の形態のマスク情報について説明するための図。
【図２０】飾り枠の合成画像を選択した場合の撮影画面について説明するための図。
【図２１】本実施の形態の枠撮り処理の撮影画面を表示するための処理例を示すフローチャートフローチャート。
【図２２】図２２は編集画面の一例である。
【図２３】図２３（Ａ）〜（Ｃ）は囲み処理について説明するための図である。
【図２４】図２４は、囲み処理の他の例について説明するための図である。
【図２５】枠撮り処理使用情報格納テーブルの一例である。
【図２６】生成される合成画像と合成画像を構成する取り込み画像の撮影時に出力されるメッセージ例を説明するための図である。
【図２７】生成される合成画像と合成画像を構成する取り込み画像の撮影時に出力されるメッセージ例を説明するための図である。
【符号の説明】
【０２２５】
１  写真印刷装置
１０  カメラ
２０  ディスプレイ
４０  写真の受け取り口
１００  処理部
１１０  編集処理部
１２０  画像生成部
１３０  音生成部
１４０  枠取り処理部
１６０  操作部
１７０  記憶部
１７４  描画バッファ
１８０  情報記憶媒体
１９０  ディスプレイ
１９２  音出力部、
１９４  携帯型情報記憶装置
１９５  印刷部
１９６  通信部
１９８  撮影部
【図１】
2008124877.tif 000003
【図２】
2008124877.tif 000004
【図３】
2008124877.tif 000005
【図４】
2008124877.tif 000006
【図５】
2008124877.tif 000007
【図６】
2008124877.tif 000008
【図７】
2008124877.tif 000009
【図８】
2008124877.tif 000010
【図９】
2008124877.tif 000011
【図１０】
2008124877.tif 000012
【図１１】
2008124877.tif 000013
【図１２】
2008124877.tif 000014
【図１３】
2008124877.tif 000015
【図１４】
2008124877.tif 000016
【図１５】
2008124877.tif 000017
【図１６】
2008124877.tif 000018
【図１７】
2008124877.tif 000019
【図１８】
2008124877.tif 000020
【図１９】
2008124877.tif 000021
【図２０】
2008124877.tif 000022
【図２１】
2008124877.tif 000023
【図２２】
2008124877.tif 000024
【図２３】
2008124877.tif 000025
【図２４】
2008124877.tif 000026
【図２５】
2008124877.tif 000027
【図２６】
2008124877.tif 000028
【図２７】
2008124877.tif 000029